Podtech/llm-jp-corpus-v4-ja_patent huggingface dataset:
【手続補正書】
【提出日】平成27年7月2日(2015.7.2)
【手続補正１】
【補正対象書類名】特許請求の範囲
【補正対象項目名】全文
【補正方法】変更
【補正の内容】
【特許請求の範囲】
【請求項１】
血清を回収するための容器であって、第一の端部および第二の端部、ならびに血液を受け入れるためのリザーバー部分を規定する少なくとも１つの内壁を含み、前記リザーバーは、トロンビンおよび少なくとも１種の凝固制御剤、ならびにクロージャーを含むことを特徴とする容器。
【請求項２】
前記凝固制御剤は、約５００ｇ／ｍｏｌ未満の分子量を有するポリカルボン酸化合物であることを特徴とする請求項１に記載の容器。
【請求項３】
前記ポリカルボン酸化合物は、クエン酸塩またはイソクエン酸塩からなる群より選択されることを特徴とする請求項２に記載の容器。
【請求項４】
前記凝固制御剤の濃度は、濃縮製剤の約０．５ｍＭから約１００ｍＭの範囲であることを特徴とする請求項２に記載の容器。
【請求項５】
前記凝固制御剤は、プロタミン塩またはその同族体もしくは誘導体であることを特徴とする請求項１に記載の容器。
【請求項６】
前記凝固制御剤の濃度は、血液サンプルの約０．０５ｍｇ／ｍＬから約５ｍｇ／ｍＬの範囲であることを特徴とする請求項５に記載の容器。
【請求項７】
前記凝固制御剤は、０．１マイクロモルより大きい阻害定数を有するトロンビンの弱い競合的阻害剤であることを特徴とする請求項１に記載の容器。
【請求項８】
前記トロンビンの弱い競合的阻害剤は、式（Ｉ）
【化１】
2014524027.tif 000001
で示される化合物であって、式中、
Ｒは、−ＮＲ1Ｒ2；−ＮＯ2；１〜６個の炭素原子を有する置換または非置換の、直鎖または分岐鎖アルキル基；ハロゲン；−ＣＯ（Ｏ）Ｒ1；−ＣＯ−ＮＲ1Ｒ2；−ＯＨ；または−ＯＲ1からなる群より選択され、
Ｒ1およびＲ2は、同一でもよいしまたは異なっていてもよく、水素、置換または非置換の、直鎖または分岐鎖Ｃ1〜Ｃ10アルキル基、および−（ＣＨ2）x−アリールからなる群より選択してもよく、
ｘは、１から１０の範囲の整数である
化合物であることを特徴とする請求項７に記載の容器。
【請求項９】
前記凝固制御剤は、ｐ−アミノベンズアミジンであることを特徴とする請求項７に記載の容器。
【請求項１０】
前記凝固制御剤の濃度は、濃縮製剤の約０．５ｍＭから約２０ｍＭの範囲であることを特徴とする請求項８に記載の容器。
【請求項１１】
前記回収容器は、水溶性ポリマーおよび糖からなる群より選択される添加剤をさらに含むことを特徴とする請求項１に記載の容器。
【請求項１２】
前記水溶性ポリマーは、ポリビニルピロリドン、多糖、およびポリエチレングリコールからなる群より選択されることを特徴とする請求項１１に記載の容器。
【請求項１３】
前記糖は、デキストラン、シクロデキストリン、トレハロース、ラクトース、スクロース、グルコース、マンニトール、およびソルビトールからなる群より選択されることを特徴とする請求項１１に記載の容器。
【請求項１４】
ゲル組成物または機械式の分離要素から成る群から選択される分離要素をさらに含むことを特徴とする請求項１に記載の容器。
【請求項１５】
前記クロージャーは、針で穴が開けられるようになっており、前記容器は、針を介して容器に導入された血液をさらに含むことを特徴とする請求項１に記載の容器。
【請求項１６】
血液を回収する方法であって、トロンビンと、トロンビンを安定化させるためにまたはトロンビンの活性を促進するために十分な濃度の凝固制御剤とを含む容器を用意するステップと、前記容器に血液サンプルを添加するステップとを含むことを特徴とする方法。
【請求項１７】
前記凝固制御剤は、約５００ｇ／ｍｏｌ未満の分子量を有するポリカルボン酸化合物であり、前記ポリカルボン酸化合物は、クエン酸塩またはイソクエン酸塩からなる群より選択されることを特徴とする請求項１６に記載の方法。
【請求項１８】
前記凝固制御剤は、プロタミン塩またはその同族体もしくは誘導体であることを特徴とする請求項１６に記載の方法。
【請求項１９】
前記凝固制御剤は、０．１マイクロモルより大きい阻害定数を有するトロンビンの弱い競合的阻害剤であることを特徴とする請求項１６に記載の方法。
【請求項２０】
前記凝固制御剤は、ベンズアミジンであることを特徴とする請求項１９に記載の方法。
【手続補正書】
【提出日】平成27年6月17日(2015.6.17)
【手続補正１】
【補正対象書類名】特許請求の範囲
【補正対象項目名】全文
【補正方法】変更
【補正の内容】
【特許請求の範囲】
【請求項１】
複数の基地局を有するセルラ移動通信ネットワークにおいて使用する移動装置の位置を推定する方法であって、
衛星測位システムを用いて或る期間にわたり前記移動装置の位置の測定値を取得するステップと、
前記移動装置の位置の各測定時において該移動装置のために働いている基地局の識別情報を取得するステップと、
前記期間の間に前記移動装置により訪問されたランドマークを識別するために前記測定値を分析するステップであって、該ランドマークは、該期間の間に該移動装置により最近若しくは以前に訪問された、及び／又は該期間の間に該移動装置により頻繁に訪問される位置であり、各ランドマークが特定の基地局に関連され、当該ランドマークにおいて前記移動装置が当該基地局に帰属されるようにするステップと、
各識別されたランドマークを前記関連された基地局の前記識別情報と一緒にデータベースに記憶するステップと、
により前記移動装置により訪問されたランドマークのデータベースを発生するステップと、
前記移動装置の後の使用の間において、前記移動装置の位置を測定するために前記衛星測位システムを使用することができない場合に、前記移動装置の位置を、該移動装置が現在帰属している基地局に関連する１以上の識別されたランドマークとして推定するステップと、
を有する方法。
【請求項２】
前記移動装置により訪問されたランドマークを識別するために前記測定値を分析するステップが、
前記移動装置の位置の測定値におけるクラスタを識別するステップと、
識別された前記クラスタの各々を前記移動装置により訪問されたランドマークとして識別するステップと、
を有する請求項１に記載の方法。
【請求項３】
前記移動装置により訪問されたランドマークを識別するために前記測定値を分析するステップが、
前記移動装置の位置の連続した測定値からユーザによりなされた旅を識別するステップと、
前記旅の終点を前記移動装置により訪問されたランドマークとして識別するステップと、
を有する請求項１又は請求項２に記載の方法。
【請求項４】
前記旅の終点が、前記移動装置の位置を測定するために前記衛星測位システムを使用することができなくなる地点に対応する請求項３に記載の方法。
【請求項５】
前記旅の終点が、前記移動装置内の動きセンサが該移動装置が最早移動していないことを示す地点に対応する請求項３又は請求項４に記載の方法。
【請求項６】
前記移動装置により訪問された位置を識別するために前記測定値を分析するステップが、ランドマークを、前記移動装置が静止状態である期間の後に得られた該移動装置の位置の最初の測定値に対応するものとして識別するステップを有する請求項１ないし５の何れか一項に記載の方法。
【請求項７】
前記移動装置の位置の各測定値が得られた時点を記録するステップを更に有し、
前記移動装置により訪問されたランドマークを識別するために前記測定値を分析するステップが、前記移動装置が各ランドマークにあった時点を識別するステップを更に有し、
前記移動装置の位置を推定するステップが、現在の時刻及び該移動装置が現在帰属する基地局の識別情報を使用する、
請求項１ないし６の何れか一項に記載の方法。
【請求項８】
前記移動装置の位置の各測定の時点において該移動装置のために働いている基地局から受信される信号の強度の測定値を得るステップを更に有し、
前記移動装置により訪問されたランドマークを識別するために前記測定値を分析するステップが、前記移動装置が各ランドマークにあった場合の前記測定された信号の強度を識別するステップを更に有し、
前記移動装置の位置を推定するステップが、該移動装置が現在帰属している基地局の識別情報及び現在の測定されている信号の強度を使用する、
請求項１ないし７の何れか一項に記載の方法。
【請求項９】
前記移動装置の位置を推定するステップが、該移動装置の位置を、該装置の位置の最近の測定値及び該移動装置が現在帰属している基地局に関連する１以上の識別されたランドマークを用いて推定するステップを有する請求項１ないし８の何れか一項に記載の方法。
【請求項１０】
前記移動装置の位置を推定するステップが、該移動装置のユーザが警報を起動した後又は、さもなければ、警報が該移動装置により起動された後に実行される請求項１ないし９の何れか一項に記載の方法。
【請求項１１】
前記移動装置が現在帰属している基地局に関連する１以上の識別されたランドマークに関する情報を該移動装置から遠隔位置に送信するステップを更に有する請求項１ないし１０の何れか一項に記載の方法。
【請求項１２】
衛星測位システムを用いて或る期間にわたり取得される移動装置の位置の測定値を受信し、
前記移動装置の位置の各測定時点において該移動装置のために働いているセルラ通信ネットワーク内の基地局の識別情報を決定し、
前記測定値を分析して前記期間の間に前記移動装置により訪問されたランドマークを識別し、該ランドマークは、該期間の間に該移動装置により最近若しくは以前に訪問された、及び／又は該期間の間に該移動装置により頻繁に訪問される位置であり、各ランドマークが特定の基地局に関連され、当該ランドマークにおいて前記移動装置が当該基地局に帰属されるようにし、
各識別されたランドマークを前記関連された基地局の前記識別情報と一緒に前記プロセッサに接続されるメモリに記憶し、
前記移動装置の後の使用の間において、前記移動装置の位置の測定値を前記衛星測位システムを使用して決定することができない場合に、前記移動装置の位置を、該移動装置が現在帰属している基地局に関連する１以上の識別されたランドマークとして推定する、
プロセッサを有する装置。
【請求項１３】
前記装置が移動装置である請求項１２に記載の装置。
【請求項１４】
前記装置が前記移動装置と通信するサーバである請求項１２に記載の装置。
【請求項１５】
適切なコンピュータ又はプロセッサ上で実行された場合に、該コンピュータ又はプロセッサに請求項１ないし１１の何れか一項に記載の方法を実行させるコンピュータプログラムコードを有するコンピュータプログラム。
【手続補正書】
【提出日】平成27年7月1日(2015.7.1)
【手続補正１】
【補正対象書類名】特許請求の範囲
【補正対象項目名】全文
【補正方法】変更
【補正の内容】
【特許請求の範囲】
【請求項１】
オブジェクトの将来の動作状態を決定するための方法であって、
オブジェクトの正常動作状態を示す基準データを得る段階と、
入力パターン・アレイを得る段階であって、各入力パターン・アレイは複数の入力ベクトルを持ち、また各入力ベクトルは時点を表し、且つオブジェクトのカレント状態を示す複数のパラメータを表す入力値を持っている、当該段階と、
少なくとも１つのプロセッサによって、入力パターン・アレイ及び基準データを使用して入力値と基準データとの間の類似性測度を決定する計算に基づいて、複数の推定値を生成する段階であって、これらの推定値は、複数の推測推定値より成る少なくとも１つの推定値ベクトルを含む推定値マトリクスの形式であり、各推定値マトリクスは、複数の入力ベクトルによって表されていない少なくとも１つの時点を表している、当該段階と、
これらの推測推定値を用いて、オブジェクトの将来の状態を決定する段階と、
を有する方法。
【請求項２】
前記複数の推定値マトリクスは、複数の入力ベクトルによって表されていない複数の時点を表す複数の推定値ベクトルを含んでいるだけである、請求項１記載の方法。
【請求項３】
前記複数の推定値マトリクスは、複数の入力ベクトルによって表された同じ時点を表す少なくとも１つの推定値ベクトルと複数の入力ベクトルによって表されていない時点を表す少なくとも１つの推定値ベクトルとを含んでいる、請求項１または２に記載の方法。
【請求項４】
前記複数の推定値マトリクスは、オブジェクトの状態を示し且つ入力値によって表されていない複数のパラメータを表す複数の推定値を含んでいる、請求項１乃至３のいずれかに記載の方法。
【請求項５】
各推定値マトリクスは、カレント時点と、複数の入力ベクトルによって表されていない複数の時点であって、該カレント時点に対して後続の時点である当該複数の時点とを表している、請求項１乃至４のいずれかに記載の方法。
【請求項６】
複数の推定値を生成する段階は、複数の類似性測度を用いることによって複数の重み値を生成し、該複数の重み値を基準データと共に計算に用いて推定値マトリクスを生成する段階を有している、請求項１乃至５のいずれかに記載の方法。
【請求項７】
前記複数の重み値は重みベクトルの形式であり、
前記重み値と共に計算に用いられる前記基準データは、入力パターン・アレイによって表されていない時点を表す基準値を有しており、
前記複数の重み値と共に計算に用いられる前記基準データは、一次カレント時点を表し、また複数の入力パターン・アレイによって表されていない複数の時点は、カレント時点に対して後続の時点である、請求項６記載の方法。
【請求項８】
前記複数の重み値と共に計算に用いられる前記基準データは、複数の習得逐次的パターン・マトリクスの３次元コレクションの形式であり、各習得逐次的パターン・マトリクスは複数の基準値の複数の基準ベクトルを有し、各基準ベクトルは習得逐次的パターン・マトリクス内の異なる時点を表しており、
各習得逐次的パターン・マトリクスは、一次カレント時点と、該一次カレント時点に対して後続の時点を表している複数の時点とを有している、請求項６記載の方法。
【請求項９】
前記同じ時点は複数の推定値マトリクス内に表されている、請求項１乃至８のいずれかに記載の方法。
【請求項１０】
複数の推測推定値を用いる前記段階は、オブジェクトの状態を決定するために用いるための複数の推測推定値を更新するように最も最近の推定値マトリクスを用いる段階を有している、請求項１乃至９のいずれかに記載の方法。
【請求項１１】
複数の推測推定値を用いる前記段階は、複数の推定値マトリクスにわたる単一の時点を表す単一の推定値ベクトルのための複数の値を供給する段階を有しており、
前記単一の推定値ベクトルは、単一の時点における全ての推定値ベクトルの平均、重み付き平均、又は重み付きノルムを決定することによって生成される、請求項１乃至１０のいずれかに記載の方法。
【請求項１２】
複数の推測推定値を用いる前記段階は、各推定値マトリクスを表す単一の推定値ベクトルのための複数の値を供給する段階を有しており、
前記単一の推定値ベクトルは、推定値マトリクス内の複数の推定値ベクトルの平均、重み付き平均、又は重み付きノルムを取ることによって生成される、請求項１乃至１１のいずれかに記載の方法。
【請求項１３】
複数の推測推定値を用いる前記段階は、オブジェクトの予想挙動を示すために複数の推測推定値によって表される少なくとも１つのパラメータについての傾向線を形成する段階を有しており、
各々の新しい推定値マトリクスにより新しい傾向線を形成する段階と、
オブジェクトの予想挙動の範囲を画成するために複数の境界傾向線を形成する段階と、
複数の時点における複数の最大推測推定値により上側境界傾向線を形成し、且つ複数の時点における複数の最小推測推定値により下側境界傾向線を形成する段階を有している請求項１乃至１２のいずれかに記載の方法
【手続補正書】
【提出日】平成27年5月20日(2015.5.20)
【手続補正１】
【補正対象書類名】特許請求の範囲
【補正対象項目名】全文
【補正方法】変更
【補正の内容】
【特許請求の範囲】
【請求項１】
生物の呼吸運動を決めるための呼吸運動決定装置において、
−異なる時間に割り当てられる生データを供給するための生データ供給ユニットであり、ここで前記生データは、心臓運動により及び生物の呼吸運動により影響を受ける、並びに前記生物の構造である構造を示し、ここで生データは前記構造の画像を再構成するのに利用可能である、生データ供給ユニット、
−前記供給される生データから前記構造の中間画像を再構成するための再構成ユニット、
−前記再構成した中間画像において前記構造を検出するための構造検出ユニット、並びに
−前記再構成した中間画像において検出した前記構造に基づいて、前記生物の呼吸運動を決めるための呼吸運動決定ユニット
を有し、
前記生データ供給ユニットは、核の生データを前記生データとして供給し、
前記呼吸運動決定ユニットは、前記再構成された中間画像における前記構造の位置を前記生物の呼吸運動として決定し、前記再構成された中間画像において検出された前記構造の位置に依存して、各々の再構成された中間画像について前記生物の夫々の呼吸相を決定する、呼吸運動決定装置。
【請求項２】
請求項１に記載の呼吸運動決定装置において、前記呼吸運動決定装置は、
−前記生データが割り当てられる異なる時間に心臓信号を供給するための心臓信号供給ユニットであり、ここで前記心臓信号は心臓のサイクルを示している、心臓信号供給ユニット、並びに
−前記供給される心臓信号に基づいて、同じ心臓のサイクルの生データを１つのグループにグループ化するための生データグループ化ユニット
を有し、
ここで前記再構成ユニットは、前記夫々のグループの生データに依存して各グループの中間画像を再構成するのに適している、
呼吸運動決定装置。
【請求項３】
前記構造検出ユニットは、心筋の心尖を前記構造として検出するのに適している、請求項１に記載の呼吸運動決定装置。
【請求項４】
請求項１に記載の呼吸運動決定装置において、
前記呼吸運動決定装置はさらに、生物の呼吸運動画像セットを供給するための呼吸相画像セット供給ユニットを有し、
前記呼吸相画像セットは、異なる呼吸相に対する前記構造の異なる画像を有し、
前記呼吸運動決定ユニットは、前記再構成した中間画像における前記構造の位置を、前記呼吸相画像セットにおける前記構造の位置と比較することにより、前記再構成した中間画像の呼吸相を決定するのに適している
呼吸運動決定装置。
【請求項５】
請求項１に記載の呼吸運動決定装置において、
前記呼吸運動決定装置はさらに、前記生物の呼吸運動モデルを供給するための呼吸運動モデル供給ユニットを有し、
前記呼吸運動モデルは、異なる呼吸相に対する前記構造の異なる位置を供給し、
前記呼吸運動決定ユニットは、前記再構成した中間画像における前記構造の位置を、前記呼吸運動モデルにおける前記構造の位置と比較することにより、前記再構成した中間画像の呼吸相を決定するのに適している、
呼吸運動決定装置。
【請求項６】
請求項１に記載の呼吸運動決定装置において、
前記呼吸運動決定ユニットは、軌道を前記構造の呼吸動作に合わせ、前記合わせた軌道に基づいて呼吸相を決定するのに適し、これにより前記再構成した中間画像に対する呼吸相を定める、呼吸運動決定装置。
【請求項７】
請求項１に記載の呼吸運動決定装置において、
前記再構成ユニットは、前記夫々の呼吸相の生データに基づいて、異なる呼吸相に対する異なる呼吸相画像を再構成するのに適している、呼吸運動決定装置。
【請求項８】
請求項７に記載の呼吸運動決定装置において、
前記生データは核の生データであり、
前記再構成した中間画像は、再構成した核の画像であり、
前記呼吸運動装置はさらに、前記生物の呼吸相画像セットを供給するための呼吸相画像セット供給ユニットを有し、
前記呼吸相画像セットは、異なる呼吸相に対する前記生物の異なる減衰画像を有し、並びに
前記再構成ユニットはさらに、前記決定した呼吸相及び前記供給される呼吸相画像セットに基づいて、前記異なる核の呼吸相画像を減衰補正するのに適している、
呼吸運動決定装置。
【請求項９】
請求項１に記載の呼吸運動決定装置において、
前記生データは核の生データであり、
前記再構成した中間画像は、再構成した核の画像であり、並びに
前記呼吸運動決定装置はさらに、
前記生物の呼吸運動モデルを供給するための呼吸運動モデル供給ユニットであり、ここで前記呼吸運動モデルは、異なる呼吸相に対する前記構造の異なる位置を供給する、呼吸運動モデル供給ユニット、及び
静止減衰画像を供給するための静止減衰画像供給ユニット
を有し、
ここで前記再構成ユニットは、
−異なる呼吸相に対する異なる減衰画像を作り出すための前記供給される呼吸運動に従って前記静止減衰画像を変形させる、及び
−前記夫々の再構成した中間画像の呼吸相に対し作り出される前記減衰画像に基づいて、各々の再構成した中間画像を減衰補正する
のに適している
呼吸運動決定装置。
【請求項１０】
請求項１に記載の呼吸運動決定装置において、前記再構成ユニットは、静止画像を作り出すために、前記異なる呼吸相画像を位置合わせ、前記位置合わせした呼吸相画像を平均化するのに適している、呼吸運動決定装置。
【請求項１１】
請求項１に記載の呼吸運動決定装置において、前記再構成ユニットは、前記生データ及び前記決定した呼吸運動から呼吸運動を補償した画像を再構成するのに適している、呼吸運動決定装置。
【請求項１２】
生物の呼吸運動を決めるための呼吸運動決定方法において、
−生データ供給ユニットにより異なる時間に割り当てられる生データを供給するステップであり、前記生データは、心臓運動及び前記生物の呼吸運動により影響を受け、並びに前記生物の構造である構造を示し、ここで生データは前記構造の画像を再構成するのに利用可能である、ステップ、
−再構成ユニットにより、前記供給される生データから前記構造の中間画像を再構成するステップ、
−構造検出ユニットにより、前記再構成した中間画像における前記構造を検出するステップ、並びに
−呼吸運動決定ユニットにより、前記再構成した中間画像において検出した前記構造に基づいて、前記生物の呼吸運動を決定するステップ
を有し、
核の生データが前記生データとして供給され、
前記呼吸運動決定ユニットが、前記再構成された中間画像における前記構造の位置を前記生物の呼吸運動として決定し、前記再構成された中間画像において検出された前記構造の位置に依存して、各々の再構成された中間画像について前記生物の夫々の呼吸相を決定する、
呼吸運動決定方法。
【請求項１３】
生物の呼吸運動を決めるためのコンピュータプログラムにおいて、前記コンピュータプログラムは、当該コンピュータプログラムが前記呼吸運動決定装置を制御するコンピューター上で実行されるとき、請求項１に記載の呼吸運動決定装置に請求項１２に記載の呼吸運動決定方法のステップを実行させるためのプログラムコード手段を有する、コンピュータプログラム。
【手続補正書】
【提出日】平成27年6月3日(2015.6.3)
【手続補正１】
【補正対象書類名】特許請求の範囲
【補正対象項目名】全文
【補正方法】変更
【補正の内容】
【特許請求の範囲】
【請求項１】
第１のタイムゾーンにいる送信者の送信ユーザ端末から、第２のタイムゾーンにいる受信者の受信ユーザ端末に、ネットワークを介してメッセージを送信する方法であって、
前記送信ユーザ端末において、前記送信者から前記メッセージの内容を受け取るステップと、
前記送信ユーザ端末において、前記内容が前記第１のタイムゾーンにおける時間の表示を含むことを決定するステップと、
前記送信ユーザ端末において、前記送信者の第１のタイムゾーンを決定するステップと、
前記送信ユーザ端末において、前記表示により示された第１のタイムゾーンにおける前記時間に対応する所定のタイムゾーンにおける標準時を決定するステップと、
前記メッセージに前記標準時を含めるステップと、
前記メッセージを、前記送信ユーザ端末から前記受信ユーザ端末へ前記ネットワークを介して送信するステップとを有し、
前記メッセージ中の前記標準時と前記第２のタイムゾーンとを用いることにより、前記受信ユーザ端末は、前記表示により示された第１のタイムゾーン中の前記時間に対応する、前記第２のタイムゾーンにおける対応する時間を決定できるようにする、方法。
【請求項２】
前記内容はテキストを含む、請求項１に記載の方法。
【請求項３】
前記メッセージは電子メールメッセージまたはインスタントメッセージである、請求項２に記載の方法。
【請求項４】
前記内容は音声データを含む、請求項１ないし３いずれか一項に記載の方法。
【請求項５】
前記表示により示された時間は、前記送信者と受信者が同時に参加するイベントの時間である、請求項１ないし４いずれか一項に記載の方法。
【請求項６】
前記メッセージを前記送信ユーザ端末から前記受信ユーザ端末へ前記ネットワークを介して送信するステップは、前記メッセージを前記送信ユーザ端末と前記受信ユーザ端末との間のポイント・ツー・ポイントルートを介して送信するステップを含む、請求項１ないし５いずれか一項に記載の方法。
【請求項７】
前記メッセージの複数の受信者の複数の受信ユーザ端末がある、請求項１ないし６いずれか一項に記載の方法。
【請求項８】
コンピュータに、請求項１ないし７いずれか一項に記載の方法のステップを実行させるコンピュータプログラム。
【請求項９】
第２のタイムゾーンにいる受信者の受信ユーザ端末に、ネットワークを介してメッセージを送信する、第１のタイムゾーンにいる送信者の送信ユーザ端末であって、
前記送信者から、前記メッセージの内容を受け取るように構成されたレシーバと、
前記内容が前記第１のタイムゾーンにおける時間の表示を含むことを決定するように構成された内容決定モジュールと、
前記送信者の第１のタイムゾーンを決定するように構成された第１タイムゾーン決定モジュールと、
前記表示により示された第１のタイムゾーンにおける前記時間に対応する、所定タイムゾーンにおける標準時を決定するように構成された標準時決定モジュールと、
前記標準時を前記メッセージに含めるように構成された処理モジュールと、
前記メッセージを、前記受信ユーザ端末に前記ネットワークを介して送信するように構成された送信モジュールとを有し、
前記メッセージ中の前記標準時と前記第２のタイムゾーンとを用いることにより、前記受信ユーザ端末は、前記表示により示された第１のタイムゾーン中の前記時間に対応する、前記第２のタイムゾーンにおける対応する時間を決定できるようにする、送信ユーザ端末。
【請求項１０】
第１のタイムゾーンにいる送信者の送信ユーザ端末から受信したメッセージを処理する、第２のタイムゾーンにいる受信者の受信ユーザ端末であって、
所定タイムゾーンにおける標準時を含むメッセージを、前記送信ユーザ端末からネットワークを介して受信するように構成されたレシーバと、
前記受信者の第２のタイムゾーンを決定するように構成されたタイムゾーン決定モジュールと、
前記決定された第２のタイムゾーンと、前記所定タイムゾーンにおける標準時とを用いて、前記所定タイムゾーンにおける標準時に対応する前記第２のタイムゾーンにおける時間である対応時間を決定するように構成された時間決定モジュールと、
前記受信ユーザ端末において前記受信者に、前記第２のタイムゾーンにおける決定された対応する時間を示す表示を含む前記メッセージを搬送するように構成された搬送モジュールとを有し、
前記所定タイムゾーンは前記送信ユーザ端末と受信ユーザ端末の両方が用いることを同意したタイムゾーンであることを特徴とする、受信ユーザ端末。
【手続補正書】
【提出日】平成27年6月16日(2015.6.16)
【手続補正１】
【補正対象書類名】特許請求の範囲
【補正対象項目名】全文
【補正方法】変更
【補正の内容】
【特許請求の範囲】
【請求項１】
被検者の解剖学的部位内の疑わしいアナトミーの診断発見を、臨床医が追跡及び管理できるようにするための臨床発見管理システムであって、
被検者の解剖学的部位の医療診断画像を含む供給源と、
前記診断画像内の疑わしいアナトミーの位置を特定できるよう前記供給源からの前記診断画像のレビューを可能にする画像表示システムと、
ユニークな識別子を用いて前記診断画像内の発見の位置をマークすることで、前記診断画像内の前記発見へのタグ付けを可能にするユーザコントロールと、
異なる調査又は異なる画像診断法からの共通のアナトミーの発見を前記被検者内の解剖学的位置に基づいて関連付ける発見プロセッサと、
レビューされた診断画像をタグ付けされた発見の位置と関連付けて記憶する記憶装置と
を備える、臨床発見管理システム。
【請求項２】
前記発見プロセッサは、さらにメタデータをタグ付けされた発見と関連付けて記憶する、請求項１に記載の臨床発見管理システム。
【請求項３】
前記ユーザコントロールは、さらに立体データ内の空間位置と連結されたユニークな識別子を用いて前記診断画像内の前記発見の位置をマークする、請求項１に記載の臨床発見管理システム。
【請求項４】
前記ユーザコントロールは、特定の発見のタグを選択することができ、
発見のタグを選択すると、前記特定の発見の、複数の過去の調査からの診断履歴が表示される、
請求項３に記載の臨床発見管理システム。
【請求項５】
前記被検者の前記解剖学的部位の非画像医療診断データの供給源をさらに含み、
前記発見プロセッサは、非画像医療診断データを、当該非画像医療診断データと関連する、前記解剖学的部位内の一つ以上の発見と関連付ける、
請求項１に記載の臨床発見管理システム。
【請求項６】
前記画像表示システムは、さらにレビューのために、前記被検者の前記解剖学的部位の新しい診断画像、及び、一つ以上の発見がタグ付けされた、前記解剖学的部位の過去に処理された診断画像を同時に表示する、請求項１に記載の臨床発見管理システム。
【請求項７】
前記新しい診断画像と前記過去に処理された診断画像とを解剖学的にアラインメントする画像位置合わせプロセッサをさらに有する、請求項６に記載の臨床発見管理システム。
【請求項８】
前記画像表示システムは、前記画像位置合わせプロセッサに応じて画像アラインメント品質指標を表示する、請求項７に記載の臨床発見管理システム。
【請求項９】
前記位置合わせプロセッサは、さらに、ユーザが２つの画像のアラインメントを調整するための手動ユーザコントロールに対応する、請求項７に記載の臨床発見管理システム。
【請求項１０】
アラインメントされた画像に対応するレビュープロセッサであって、解剖学的にアラインメントされた新しい診断画像及び過去に処理された診断画像のシリーズを巡ることを可能にするレビュープロセッサをさらに有する、請求項７に記載の臨床発見管理システム。
【請求項１１】
前記レビュープロセッサは、さらに、前記過去に処理された診断画像内に示された発見の前記新しい診断画像内での解剖学的な位置を示す、請求項１０に記載の臨床発見管理システム。
【請求項１２】
前記レビュープロセッサは、さらに、解剖学的部位の新しい画像のレビューのために、前記解剖学的部位内の過去にタグ付けされた発見のシリーズを巡ることができる、請求項１０に記載の臨床発見管理システム。
【請求項１３】
前記発見プロセッサは、さらに、前記レビュープロセッサとともに、新しい画像のレビュー中に新しい発見にタグ付けできる、請求項１２に記載の臨床発見管理システム。
【請求項１４】
前記異なる画像診断法は、マンモグラフィ、超音波、ＣＴ、及びＭＲＩのうちの２つ以上を含む、請求項１に記載の臨床発見管理システム。
【請求項１５】
前記異なる調査は、異なる時間において実行された、請求項１に記載の臨床発見管理システム。
【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
少なくとも幾つかの光源が光源識別子を有する光を発する、複数の光源から発せられた光を受信する検出装置であって、前記検出装置は、
前記複数の光源から発せられた光の少なくとも一部を受信する第１の光センサユニットであって、少なくとも幾つかの光センサが当該光センサに作用する光を検出する複数の光センサを有する前記第１の光センサユニットと、前記複数の光源から発せられた光の少なくとも一部を受信する光選択ユニットと、自身に作用する光に対応する信号を生成する第２の光センサユニットと、を有する検出モジュールと、
前記検出モジュールに接続可能な処理モジュールであって、前記第２の光センサユニットによって生成された信号を基に、選択された光の一部が生じた光源を識別するための、前記選択された光の一部の光源識別子を決定する前記処理モジュールと、を有し、
前記光選択ユニットは、前記光選択ユニットによって受信される選択された光の一部を前記第２の光センサユニットへ選択的に伝達し、
前記光選択ユニットは、前記選択された光の一部が、光を検出している前記第１の光センサユニットの前記複数の光センサのうちの光センサと関連付けられるように、前記第１の光センサユニットに対して配置される、検出装置。
【請求項２】
前記光選択ユニットは、前記選択された光の一部が、光を検出している前記第１の光センサユニットの前記複数の光センサのうちの光センサと関連付けられるように、前記第１の光センサユニットに対して配置されることで、前記選択された光の一部が、光を検出している前記第１の光センサユニットの前記複数の光センサのうちの前記光センサに作用している光に対応する、請求項１記載の検出装置。
【請求項３】
前記光選択ユニットは、前記選択された光の一部を前記第２の光センサユニットに選択的且つ制御可能に伝達する、請求項１又は２に記載の検出装置。
【請求項４】
光を検出している前記第１の光センサユニットの前記複数の光センサのうちの光センサを選択するとともに、前記選択された光の一部が、前記第１の光センサユニットの前記複数の光センサのうちの前記選択された光センサと関連付けられるように、前記第１の光センサユニットに対する前記光選択ユニットの配置に基づいて、前記光選択ユニットが前記第２の光センサに選択された光の一部を伝達するように制御する制御モジュールを更に有する、請求項３記載の検出装置。
【請求項５】
前記光選択ユニットは、複数の光選択要素を有し、前記光選択要素は、それぞれ、前記光選択要素に作用する光を前記第２の光センサユニットに制御可能且つ選択的に伝達する、請求項３又は４に記載の検出装置。
【請求項６】
前記光選択ユニットは、前記複数の光選択要素と前記第１の光センサユニットの前記複数の光センサとの間に対応関係が存在するように、前記第１の光センサユニットに対して配置される、請求項５記載の検出装置。
【請求項７】
前記複数の光選択要素は、光減衰に関して制御可能な複数の液晶ディスプレイ（ＬＣＤ）素子を有し、前記複数のＬＣＤ素子は、それぞれ、前記ＬＣＤ素子に作用する光を前記第２の光センサユニットに制御可能且つ選択的に伝達する、請求項５又は６に記載の検出装置。
【請求項８】
前記光選択ユニットは、微小電気機械システム（ＭＥＭＳ）装置に作用する光を前記第２の光センサユニットに制御可能且つ選択的に伝達する前記ＭＥＭＳ装置を有する、請求項３乃至７のいずれか１項に記載の検出装置。
【請求項９】
前記ＭＥＭＳ装置は、複数のマイクロミラーを有し、前記マイクロミラーは、それぞれ、前記マイクロミラーに作用する光を前記第２の光センサユニットに制御可能且つ選択的に伝達する、請求項８記載の検出装置。
【請求項１０】
前記処理モジュールは、前記第２の光センサユニットによって生成された信号を基に、選択された光の一部が生じた光源を識別するための、前記選択された光の一部の光源識別子を決定するとともに、ヘテロダイン検波に基づいて、前記マイクロミラーのスイッチング周波数を決定する、請求項９記載の検出装置。
【請求項１１】
前記光選択ユニット及び前記第２の光センサユニットは、複数の画素を有する能動ピクセル画像センサであって、前記能動ピクセル画像センサの少なくとも１つの画素を活性領域として選択することにより、受信した光の一部を選択するとともに、選択された光の一部に対応する信号を生成する前記能動ピクセル画像センサによって構成され、当該能動ピクセル画像センサは、前記選択された光の一部が、光を検出している前記第１の光センサの前記複数の光センサのうちの前記光センサに関連付けられるように、前記第１の光センサに対して配置される、請求項５乃至１０のいずれか１項に記載の検出装置。
【請求項１２】
前記第１の光センサユニット、前記光選択ユニット、及び、前記第２の光センサユニットは、複数の画素を有する能動ピクセル画像センサであって、光を活性領域として検出している前記能動ピクセル画像センサの少なくとも１つの画素を選択することにより、受信した光の一部を選択するとともに、選択された光の一部に対応する信号を生成する前記能動ピクセル画像センサによって構成される、請求項５乃至１０のいずれか１項に記載の検出装置。
【請求項１３】
前記光選択ユニットは、前記選択された光の一部を前記第２の光センサユニットに伝達する光透過部分を有する、請求項１又は２に記載の検出装置。
【請求項１４】
前記光選択ユニットは、前記光透過部分が、前記第１の光センサユニットの前記複数の光センサのうちの少なくとも１つと関連付けられるように、前記第１の光センサユニットに対して配置される、請求項１３記載の検出装置。
【請求項１５】
前記複数の光源の各々が、各光源に関する位置、設定、及び／又は、ステータス情報を有する光を発し、前記処理モジュールが、前記第２の光センサユニットによって生成された前記信号から識別された光源に関する情報を抽出する、請求項１乃至１４のいずれか１項に記載の検出装置。
【請求項１６】
前記第１の光センサユニットは、少なくとも１つの画像を取得するとともに、取得した各画像の画像表現を作り出す画像センサを有し、前記検出装置は、前記処理モジュール及び前記検出モジュールにそれぞれ接続可能な結合器を更に有し、前記結合器は、前記画像の表現において、前記処理モジュールによって抽出された前記識別された光源に関する前記情報を含める、請求項１５記載の検出装置。
【請求項１７】
前記画像センサは、複数の画像を取得するとともに、取得した各画像の画像表現を作り出し、前記検出装置は、前記結合器及び前記検出モジュールにそれぞれ接続可能な画像処理モジュールを更に有し、前記画像処理モジュールは、前記取得した画像に対応する前記画像表現に基づいて、前記複数の光源に対する前記検出モジュールの向き及び／又は位置を決定する、請求項１６記載の検出装置。
【請求項１８】
請求項１乃至１７のいずれか１項に記載の検出装置に含まれる、検出モジュール。
【請求項１９】
少なくとも幾つかの光源が光源識別子を有する光を発する、複数の光源と、
前記複数の光源から発せられた光を受信する請求項１乃至１７のいずれか１項に記載の検出装置と、
を有する、照明システム。
【手続補正書】
【提出日】平成27年6月23日(2015.6.23)
【手続補正１】
【補正対象書類名】特許請求の範囲
【補正対象項目名】全文
【補正方法】変更
【補正の内容】
【特許請求の範囲】
【請求項１】
照明ユニットを有する屋外照明ネットワーク（ＯＬＮ）用の照明要件生成システムであって、
中央制御機器と、
複数の照明ユニット制御機器と、
前記中央制御機器と前記照明ユニット制御機器とを動作可能に接続する通信システムと
を含む照明要件生成システムであり、
前記中央制御機器が、
規制データ、交通データ、治安データ／犯罪統計データ、及び地域／区域指定の分類データから成るグループから選択される位置ベースのデータを取得し、
前記位置ベースのデータから、特定の地理的位置／地区に関連する１つ又は複数のパラメータの特性を表すクラスタであって、前記パラメータの特性は、地区分類クラスタ、交通に基づくクラスタ、及び安全／治安クラスタから成るグループから選択される当該クラスタを定め、
前記クラスタのそれぞれについて照明要件を定め、
前記照明ユニットの位置情報から前記照明ユニットを前記クラスタに関連付け、
前記照明ユニットを前記照明要件にマップする、
照明要件生成システム。
【請求項２】
前記中央制御機器が、前記照明ユニットのそれぞれに関連する前記クラスタの前記照明要件を更に実施する、請求項１に記載の照明要件生成システム。
【請求項３】
前記中央制御機器が、（１）前記照明ユニットの１つに関連する前記クラスタのクラスタセットを決定することによって前記照明ユニットを前記照明要件にマップし、（２）最大／最小プロセス、メタクラスタ用の既定要件プロセス、及び加重和プロセスから成るグループから選択されるプロセスによって前記照明要件を定める、請求項１に記載の照明要件生成システム。
【請求項４】
前記中央制御機器が、前記照明ユニットの少なくとも１つに関連するクラスタを有する２つ以上の前記位置ベースのデータの照明要件間に競合がないかどうかを確認する、請求項１に記載の照明要件生成システム。
【請求項５】
前記中央制御機器が、前記位置ベースのデータからクラスタを再定義する、前記クラスタの照明要件を再定義する、若しくは前記照明ユニットの前記少なくとも１つを前記クラスタに再び関連付けることの１つ又は複数によって、又は競合の警告信号を生成することによって、競合が見つかった場合に前記競合を解決する、請求項４に記載の照明要件生成システム。
【請求項６】
照明ユニットを有し、サーバに動作可能に接続されている屋外照明ネットワーク（ＯＬＮ）用の照明要件生成システムの中央制御機器であって、
プロセッサと、
前記プロセッサに動作可能に接続されるメモリと、
前記サーバと通信するために前記プロセッサに動作可能に接続される通信モジュールと
を含む中央制御機器であり、
前記プロセッサが、
規制データ、交通データ、治安データ／犯罪統計データ、及び地域／区域指定の分類データから成るグループから選択される位置ベースのデータを前記サーバから取得し、
前記位置ベースのデータから、特定の地理的位置／地区に関連する１つ又は複数のパラメータの特性を表すクラスタであって、前記パラメータの特性は、地区分類クラスタ、交通に基づくクラスタ、及び安全／治安クラスタから成るグループから選択される当該クラスタを定め、
前記クラスタのそれぞれについて照明要件を定め、
前記照明ユニットの位置情報から前記照明ユニットを前記クラスタに関連付け、
前記照明ユニットを前記照明要件にマップする、
中央制御機器。
【請求項７】
前記プロセッサが、前記照明ユニットのそれぞれに関連する前記クラスタの前記照明要件を更に実施する、請求項６に記載の機器。
【請求項８】
前記プロセッサが、（１）前記照明ユニットの１つに関連する前記クラスタのクラスタセットを決定することによって前記照明ユニットを前記照明要件にマップし、（２）最大／最小プロセス、メタクラスタ用の既定要件プロセス、及び加重和プロセスから成るグループから選択されるプロセスによって前記照明要件を定める、請求項６に記載の機器。
【請求項９】
前記プロセッサが、前記照明ユニットの少なくとも１つに関連するクラスタを有する２つ以上の前記位置ベースのデータの照明要件間に競合がないかどうかを確認する、請求項６に記載の機器。
【請求項１０】
前記プロセッサが、前記位置ベースのデータをグラフィックユーザインターフェイス（ＧＵＩ）によって取得する、請求項６に記載の機器。
【請求項１１】
前記プロセッサが、前記位置ベースのデータからクラスタを再定義する、前記クラスタの照明要件を再定義する、若しくは前記照明ユニットの前記少なくとも１つを前記クラスタに再び関連付けることの１つ又は複数によって、又は競合の警告信号を生成することによって、競合が見つかった場合に前記競合を解決する、請求項６に記載の機器。
【請求項１２】
照明ユニットを有し、サーバに動作可能に接続されている屋外照明ネットワーク（ＯＬＮ）用の照明要件を生成する方法であって、
前記サーバから位置ベースのデータを取得するステップと、
規制データ、交通データ、治安データ／犯罪統計データ、及び地域／区域指定の分類データから成るグループから選択される前記位置ベースのデータからクラスタを定めるステップと、
特定の地理的位置／地区に関連する１つ又は複数のパラメータの特性を表すクラスタであって、前記パラメータの特性は、地区分類クラスタ、交通に基づくクラスタ、及び安全／治安クラスタから成るグループから選択される当該クラスタのそれぞれについて照明要件を定めるステップと、
前記照明ユニットの位置情報から前記照明ユニットを前記クラスタに関連付けるステップと、
前記照明ユニットを前記照明要件にマップするステップと
を含む、方法。
【請求項１３】
前記照明ユニットのそれぞれに関連する前記クラスタの前記照明要件を更に実施するステップを更に含む、請求項１２に記載の方法。
【請求項１４】
前記照明ユニットを前記照明要件にマップするステップは、前記照明ユニットの１つに関連する前記クラスタのクラスタセットを定めるステップを含み、前記照明要件を定めるステップは、最大／最小プロセス、メタクラスタ用の既定要件プロセス、及び加重和プロセスから成るグループから選択されるプロセスを含む、請求項１２に記載の方法。
【請求項１５】
前記照明ユニットの少なくとも１つに関連するクラスタを有する２つ以上の前記位置ベースのデータの照明要件間に競合がないかどうかを確認するステップを更に含む、請求項１２に記載の方法。
【請求項１６】
前記位置ベースのデータからクラスタを再定義するステップ、前記クラスタの照明要件を再定義するステップ、若しくは前記照明ユニットの前記少なくとも１つを前記クラスタに再び関連付けるステップの一つ又は複数によって、又は競合の警告信号を生成するステップによって、競合が見つかった場合に前記競合を解決するステップを更に含む、請求項１２に記載の方法。
【手続補正書】
【提出日】平成27年6月1日(2015.6.1)
【手続補正１】
【補正対象書類名】特許請求の範囲
【補正対象項目名】全文
【補正方法】変更
【補正の内容】
【特許請求の範囲】
【請求項１】
負荷を駆動する駆動装置であって、
前記駆動装置は、
−外部電源から整流供給電圧を受ける電力入力端子と、
−負荷を駆動する駆動電圧及び／又は駆動電流を供給する電力出力端子と、
−高電圧ノードと低電圧ノードとの間に直列に結合される第１及び第２のスイッチ要素を有し、前記第１及び第２のスイッチ要素の間にスイッチノードを有する、半ブリッジユニットと、
−前記電力入力端子と前記半ブリッジユニットとの間に結合される第１のインダクタを有するブースト入力フィルタユニットと、
−前記半ブリッジユニットと前記電力出力端子のうちの少なくとも１つとの間に結合される第２のインダクタを有するバック出力フィルタユニットと、
−エネルギ蓄積ユニットと、
−前記スイッチ要素を制御する制御ユニットと、
を有し、
負荷を駆動する駆動電圧及び／若しくは駆動電流を供給する前記電力出力端子並びに／又は前記エネルギ蓄積ユニットは、前記半ブリッジユニットの前記高電圧ノード及び前記低電圧ノードに直接結合される、駆動装置。
【請求項２】
負荷を駆動する駆動電圧及び／又は駆動電流を供給する前記電力出力端子並びに前記エネルギ蓄積ユニットは、前記半ブリッジユニットの前記高電圧ノードと前記低電圧ノードとの間に直列に存在する、請求項１に記載の駆動装置。
【請求項３】
前記ブースト入力フィルタユニットの出力端子は、前記半ブリッジユニットの前記スイッチノード及び前記低電圧ノードに結合される、請求項１に記載の駆動装置。
【請求項４】
前記バック出力フィルタユニットの入力端子は、前記半ブリッジユニットの前記高電圧ノード及び前記スイッチノードに結合される、請求項３に記載の駆動装置。
【請求項５】
前記ブースト入力フィルタユニットの出力端子は、前記半ブリッジユニットの前記高電圧ノード及び前記スイッチノードに結合される、請求項１に記載の駆動装置。
【請求項６】
前記バック出力フィルタユニットの入力端子は、前記半ブリッジユニットの前記スイッチノード及び前記低電圧ノードに結合される、請求項５に記載の駆動装置。
【請求項７】
前記エネルギ蓄積ユニットは、前記半ブリッジユニットの前記高電圧ノードと前記低電圧ノードとの間に結合される、請求項１に記載の駆動装置。
【請求項８】
前記電力出力端子は、前記バック出力フィルタユニットの出力端子に直接結合される、請求項７に記載の駆動装置。
【請求項９】
前記エネルギ蓄積ユニットは、前記半ブリッジユニットの前記高電圧ノード又は前記低電圧ノードと前記バック出力フィルタユニットの出力端子との間に結合される、請求項１に記載の駆動装置。
【請求項１０】
前記電力出力端子は、前記半ブリッジユニットの前記高電圧ノード又は前記低電圧ノードと前記バック出力フィルタユニットの出力端子とに直接結合される、請求項９に記載の駆動装置。
【請求項１１】
ＡＣ供給電圧、特に本線電圧を周期的な前記整流供給電圧に整流する整流ユニット、
を更に有する、請求項１に記載の駆動装置。
【請求項１２】
前記ブースト入力フィルタユニットは、前記第１のインダクタと直列にダイオードを有する、請求項１に記載の駆動装置。
【請求項１３】
前記制御ユニットは、前記エネルギ蓄積ユニットにかかる電圧を所定の閾より低く保つため及び／又は入力電流を成形するために、出力電流を一定に保つ、請求項１に記載の駆動装置。
【請求項１４】
１又は複数の照明ユニットを有する照明アセンブリと、
−前記照明アセンブリを駆動する、請求項１乃至１３のいずれか一項に記載の駆動装置と、
を有する照明装置。
【請求項１５】
前記負荷が１又は複数のＬＥＤを有するＬＥＤユニットである、請求項１乃至１３のいずれか一項に記載の駆動装置。
【請求項１６】
前記照明ユニットが１又は複数のＬＥＤを有するＬＥＤユニットである、請求項１４に記載の照明装置。
【手続補正２】
【補正対象書類名】明細書
【補正対象項目名】０００４
【補正方法】変更
【補正の内容】
【０００４】
小型蛍光灯のＨＰＦコンバータは、「High-Power-Factor  Electronic  Ballast  with  Constant  DC-Link  Voltage」、Ricardo  de  Oliveira  Brioschi、Jose  Luiz  F.  Vieira、IEEE  Transactions  on  Power  Electronics,  vol.１３,  no.６,  １９９８に記載されている。ここで、半ブリッジユニットは、ブーストコンバータとＬＣ並列共振コンバータとにより共有され、ゼロ電圧スイッチ（ＺＶＳ）を得るために共振より上で動作される。ＺＶＳを更に支援するために、バス電圧は一定になるよう制御される。しかしながら、このようなＨＰＦコンバータは、通常、大容量バスキャパシタ及び出力整流器を必要とし、狭い供給電圧範囲及び負荷（駆動）電圧範囲しか有しない。
【手続補正３】
【補正対象書類名】明細書
【補正対象項目名】０００５
【補正方法】変更
【補正の内容】
【０００５】
本発明の目的は、負荷、特に１又は複数のＬＥＤを有するＬＥＤユニットを駆動し、並びに特に高力率、実質的に一定の負荷、小型、高効率、長寿命及び低コストを達成する、駆動装置及び対応する駆動方法を提供することである。さらに、本発明の目的は、対応する照明装置を提供することである。
【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
ＬＥＤ凹部と、
前記ＬＥＤ凹部と交差する光学軸と、
前記光学軸に垂直で、前記ＬＥＤ凹部と交差する突出軸と、
前記光学軸の周りで部分的に回転される外側円錐壁を有する回転セクションであって、前記外側円錐壁が、前記ＬＥＤ凹部の一部を囲み、且つ前記ＬＥＤ凹部から発生して前記外側円錐壁に入射する光出力の大部分を内部で反射してコリメートし、
前記外側円錐壁が、その端部において前記光学軸の周りに第１のプロファイルを画定する第１及び第２の側面を形成する回転セクションと、
突出側面を含む前記外側円錐壁の前記端部から延び、且つ前記第１のプロファイルを形成する前記外側円錐壁の前記第１及び第２の側面の対応する部分にほぼ一致する、前記突出軸の任意の点に沿って見られるプロファイルをそれぞれ有する突出セクションと、
を含む非対称光学レンズ。
【請求項２】
前記光学軸に沿った前記突出セクションの高さが、前記突出軸に沿った前記回転セクションからの距離が増加するにつれて減少するように、前記突出セクションが、上方へ角度を付けられて前記ＬＥＤ凹部から離れる角度付き端部を含む、請求項１に記載の非対称光学レンズ。
【請求項３】
前記光学軸に沿った前記突出セクションの前記高さが、前記突出軸に沿った前記回転セクションからの距離が増加するにつれて、直線的に減少する、請求項２に記載の非対称光学レンズ。
【請求項４】
前記回転セクションが、光学処方を有する所定の非平面の上面を含む、請求項１に記載の非対称光学レンズ。
【請求項５】
前記光学処方が、前記光学軸及び前記突出軸にほぼ垂直な少なくとも１つの溝を含む、請求項４に記載の非対称光学レンズ。
【請求項６】
前記光学処方が、前記光学軸に対して鋭角で、且つ前記突出軸に対して鈍角で上方に角度を付けられた表面を含む、請求項４に記載の非対称光学レンズ。
【請求項７】
前記光学処方が、前記光学軸と前記上方に角度を付けられた表面との間に置かれた少なくとも１つの溝を含む、請求項６に記載の非対称光学レンズ。